(57)【要約】 【課題】ユーザにとって利便性の高い印刷装置、及び、印刷制御装置を実現することにある。【解決手段】ロール紙に印刷を行う印刷装置であって、ロール紙を装着するための装着部と、該装着部に装着されたロール紙に印刷するための印刷ヘッドと、前記印刷装置及び前記ロール紙のうちの少なくともどちらか一方に関する情報を、前記印刷ヘッドを用いて前記ロール紙に印刷するためのコントローラと、前記装着部に装着されたロール紙を切断するための切断部材と、を有し、前記コントローラは、前記情報を印刷した後に前記ロール紙を切断することをユーザが選択した場合には、前記情報を印刷した後に前記切断部材を動作させて前記ロール紙を切断することにより、ロール紙の、前記情報を印刷した部分、を切り離し、前記情報を印刷した後に前記ロール紙を切断しないことをユーザが選択した場合には、前記情報を印刷した後に前記切断部材による前記ロール紙の切断を行わないことを特徴とする。【選択図】    図６
2006015643.tif 000002
【特許請求の範囲】
【請求項１】
ロール紙に印刷を行う印刷装置であって、
ロール紙を装着するための装着部と、
該装着部に装着されたロール紙に印刷するための印刷ヘッドと、
前記印刷装置及び前記ロール紙のうちの少なくともどちらか一方に関する情報を、前記印刷ヘッドを用いて前記ロール紙に印刷するためのコントローラと、
前記装着部に装着されたロール紙を切断するための切断部材と、を有し、
前記コントローラは、
前記情報を印刷した後に前記ロール紙を切断することをユーザが選択した場合には、前記情報を印刷した後に前記切断部材を動作させて前記ロール紙を切断することにより、ロール紙の、前記情報を印刷した部分、を切り離し、
前記情報を印刷した後に前記ロール紙を切断しないことをユーザが選択した場合には、前記情報を印刷した後に前記切断部材による前記ロール紙の切断を行わないことを特徴とする印刷装置。
【請求項２】
請求項１に記載の印刷装置において、
前記情報を印刷した後に前記ロール紙を切断するか否か、についてのユーザによる選択、を受け付けるための選択受け付け部を有することを特徴とする印刷装置。
【請求項３】
請求項１又は請求項２に記載の印刷装置において、
前記コントローラは、
前記印刷装置及び前記ロール紙のうちの少なくともどちらか一方に関する複数の情報を印刷可能であり、
前記情報を印刷した後に前記ロール紙を切断することをユーザが選択した場合と前記情報を印刷した後に前記ロール紙を切断しないことをユーザが選択した場合とで、異なる情報を印刷することを特徴とする印刷装置。
【請求項４】
請求項１乃至請求項３のいずれかに記載の印刷装置において、
前記コントローラは、前記情報を、該情報とは異なる印刷画像と共に印刷可能であることを特徴とする印刷装置。
【請求項５】
請求項４に記載の印刷装置において、
前記印刷画像を印刷する際に該印刷画像と共に前記情報を印刷するか否か、についてのユーザによる選択、を受け付けるための第二選択受け付け部を有することを特徴とする印刷装置。
【請求項６】
請求項４又は請求項５に記載の印刷装置において、
前記コントローラは、
前記印刷装置及び前記ロール紙のうちの少なくともどちらか一方に関する複数の情報を印刷可能であり、
前記印刷画像と共に前記情報を印刷することをユーザが選択した場合と前記情報のみを印刷することをユーザが選択した場合とで、異なる情報を印刷することを特徴とする印刷装置。
【請求項７】
請求項１乃至請求項３のいずれかに記載の印刷装置において、
前記コントローラは、
前記情報を印刷した後に前記切断部材を動作させて前記ロール紙を切断することにより、ロール紙の、前記情報を印刷した部分を、全て切り離すか又は一部のみ切り離すか、
についてのユーザの選択に基づいて、前記ロール紙の切断位置を異ならせることを特徴とする印刷装置。
【請求項８】
請求項７に記載の印刷装置において、
ロール紙の、前記情報を印刷した部分を、全て切り離すか又は一部のみ切り離すか、についてのユーザによる選択、を受け付けるための第三選択受け付け部を有することを特徴とする印刷装置。
【請求項９】
ロール紙に印刷を行う印刷装置であって、
ロール紙を装着するための装着部と、
該装着部に装着されたロール紙に印刷するための印刷ヘッドと、
前記印刷装置及び前記ロール紙のうちの少なくともどちらか一方に関する情報を、前記印刷ヘッドを用いて前記ロール紙に印刷するためのコントローラと、
前記装着部に装着されたロール紙を切断するための切断部材と、を有し、
前記コントローラは、
前記情報を印刷した後に前記ロール紙を切断することをユーザが選択した場合には、前記情報を印刷した後に前記切断部材を動作させて前記ロール紙を切断することにより、ロール紙の、前記情報を印刷した部分、を切り離し、
前記情報を印刷した後に前記ロール紙を切断しないことをユーザが選択した場合には、前記情報を印刷した後に前記切断部材による前記ロール紙の切断を行わず、
前記情報を印刷した後に前記ロール紙を切断するか否か、についてのユーザによる選択、を受け付けるための選択受け付け部を有し、
前記コントローラは、
前記印刷装置及び前記ロール紙のうちの少なくともどちらか一方に関する複数の情報を印刷可能であり、
前記情報を印刷した後に前記ロール紙を切断することをユーザが選択した場合と前記情報を印刷した後に前記ロール紙を切断しないことをユーザが選択した場合とで、異なる情報を印刷し、
前記コントローラは、前記情報を、該情報とは異なる印刷画像と共に印刷可能であり、
前記印刷画像を印刷する際に該印刷画像と共に前記情報を印刷するか否か、についてのユーザによる選択、を受け付けるための第二選択受け付け部を有し、
前記コントローラは、前記印刷画像と共に前記情報を印刷することをユーザが選択した場合と前記情報のみを印刷することをユーザが選択した場合とで、異なる情報を印刷することを特徴とする印刷装置。
【請求項１０】
ロール紙に印刷を行う印刷制御装置であって、
ロール紙を装着するための装着部と、
該装着部に装着されたロール紙に印刷するための印刷ヘッドと、
前記印刷制御装置及び前記ロール紙のうちの少なくともどちらか一方に関する情報を、前記印刷ヘッドを用いて前記ロール紙に印刷するためのコントローラと、
前記装着部に装着されたロール紙を切断するための切断部材と、
前記情報を印刷した後に前記ロール紙を切断するか否か、についてのユーザによる選択、を受け付けるための選択受け付け部と、を有し、
前記コントローラは、
前記情報を印刷した後に前記ロール紙を切断することが前記選択受け付け部にて選択された場合には、前記情報を印刷した後に前記切断部材を動作させて前記ロール紙を切断することにより、ロール紙の、前記情報を印刷した部分、を切り離し、
前記情報を印刷した後に前記ロール紙を切断しないことが前記選択受け付け部にて選択された場合には、前記情報を印刷した後に前記切断部材による前記ロール紙の切断を行わないことを特徴とする印刷制御装置。
【発明の詳細な説明】
【技術分野】
【０００１】
本発明は、印刷装置、及び、印刷制御装置に関する。
【背景技術】
【０００２】
ロール紙を装着するための装着部と印刷ヘッドとを備えた印刷装置は既によく知られている。かかる印刷装置は、当該印刷ヘッドを用いて前記装着部に装着されたロール紙に印刷を行う。
【特許文献１】特開平１１−９１０９１号公報
【発明の開示】
【発明が解決しようとする課題】
【０００３】
ロール紙を使い切る前に、ユーザが印刷装置に装着されているロール紙を印刷装置から取り外す場合がある。一例を挙げると、ユーザが、他の紙種のロール紙に印刷を行うために、印刷装置に装着されているロール紙を当該他の紙種のロール紙と交換する場合に、かかる状況が生じうる。
【０００４】
そして、ユーザが取り外されたロール紙をある一定の期間使用しない場合には、ユーザは当該ロール紙を保管することになるが、ユーザが当該ロール紙を再度使用する際に、以下の不都合が生ずる可能性がある。すなわち、ユーザが、このロール紙を印刷装置に装着して使用することが妥当かどうか、また、このロール紙をどの印刷装置に装着すべきか、戸惑う可能性がある。
【０００５】
そして、かかる不都合を解消するためには、残量、紙種、サイズ等のロール紙に関する情報や、印刷装置の機種名や印刷装置の供給者等の印刷装置に関する情報をロール紙に印刷可能な印刷装置が有効である。ユーザが、使い切る前のロール紙を印刷装置から取り外す際に、これらの情報を印刷しておけば、ユーザは、当該ロール紙を再度使用する際に、当該情報を参照することにより、このロール紙を印刷装置に装着して使用することが妥当かどうか、また、このロール紙をどの印刷装置に装着すべきか、判断することができる。また、ユーザは、ロール紙を印刷装置に装着して使用することが妥当かどうか、また、このロール紙をどの印刷装置に装着すべきか、判断するためでなく、単に、前記情報を見るために、当該情報を印刷させたいと考える場合があり、かかる際にも、当該印刷装置は有効である。
【０００６】
一方で、ユーザは、情報の印刷後に、ロール紙を切断して、ロール紙の、情報を印刷した部分、を切り離したいと考える場合と、当該情報の印刷後に、ロール紙の切断を行いたくないと考える場合がある。例えば、ユーザが、ロール紙を印刷装置に装着して使用することが妥当かどうか、また、このロール紙をどの印刷装置に装着すべきか、判断するために、情報をロール紙に印刷させる場合には、ユーザが、ロール紙を再度使用する際に、当該情報を確実に参照できる（すなわち、ユーザが、ロール紙を再度使用する際に、ロール紙自体に印刷されている情報を参照できる）ように、情報の印刷後にロール紙の切断が行われないことを望む場合が多い。逆に、ユーザが、単に、情報を見るために、当該情報を印刷させる場合には、情報が印刷された紙を、手にとって見たり、移動させたりできるように、情報の印刷後に、ロール紙の、情報を印刷した部分、が切り離されることを望む場合が多い。
【０００７】
本発明は、かかる課題に鑑みてなされたものであり、その目的とするところは、ユーザにとって利便性の高い印刷装置、及び、印刷制御装置を実現することにある。
【課題を解決するための手段】
【０００８】
主たる本発明は、ロール紙に印刷を行う印刷装置であって、ロール紙を装着するための装着部と、該装着部に装着されたロール紙に印刷するための印刷ヘッドと、前記印刷装置及び前記ロール紙のうちの少なくともどちらか一方に関する情報を、前記印刷ヘッドを用いて前記ロール紙に印刷するためのコントローラと、前記装着部に装着されたロール紙を切断するための切断部材と、を有し、前記コントローラは、前記情報を印刷した後に前記ロール紙を切断することをユーザが選択した場合には、前記情報を印刷した後に前記切断部材を動作させて前記ロール紙を切断することにより、ロール紙の、前記情報を印刷した部分、を切り離し、前記情報を印刷した後に前記ロール紙を切断しないことをユーザが選択した場合には、前記情報を印刷した後に前記切断部材による前記ロール紙の切断を行わないことを特徴とする印刷装置である。
【０００９】
本発明の他の特徴については、本明細書及び添付図面の記載により明らかにする。
【発明を実施するための最良の形態】
【００１０】
本明細書及び添付図面の記載により、少なくとも次のことが明らかにされる。
【００１１】
ロール紙に印刷を行う印刷装置であって、ロール紙を装着するための装着部と、該装着部に装着されたロール紙に印刷するための印刷ヘッドと、前記印刷装置及び前記ロール紙のうちの少なくともどちらか一方に関する情報を、前記印刷ヘッドを用いて前記ロール紙に印刷するためのコントローラと、前記装着部に装着されたロール紙を切断するための切断部材と、を有し、前記コントローラは、前記情報を印刷した後に前記ロール紙を切断することをユーザが選択した場合には、前記情報を印刷した後に前記切断部材を動作させて前記ロール紙を切断することにより、ロール紙の、前記情報を印刷した部分、を切り離し、前記情報を印刷した後に前記ロール紙を切断しないことをユーザが選択した場合には、前記情報を印刷した後に前記切断部材による前記ロール紙の切断を行わないことを特徴とする印刷装置。  
このようにすれば、ユーザにとって利便性の高い印刷装置を実現することが可能となる。
【００１２】
また、前記情報を印刷した後に前記ロール紙を切断するか否か、についてのユーザによる選択、を受け付けるための選択受け付け部を有することとしてもよい。  
かかる場合には、印刷装置がコンピュータに電気的に接続されていない場合でも、ユーザが、情報を印刷した後にロール紙を切断するか否か、を選択することができる。
【００１３】
また、前記コントローラは、前記印刷装置及び前記ロール紙のうちの少なくともどちらか一方に関する複数の情報を印刷可能であり、前記情報を印刷した後に前記ロール紙を切断することをユーザが選択した場合と前記情報を印刷した後に前記ロール紙を切断しないことをユーザが選択した場合とで、異なる情報を印刷することとしてもよい。  
かかる場合には、ユーザの利便性をより一層向上させることが可能となる。
【００１４】
また、前記コントローラは、前記情報を、該情報とは異なる印刷画像と共に印刷可能であることとしてもよい。  
かかる場合には、前記情報を、当該印刷画像についての参考情報として、ロール紙に印刷することが可能となる。
【００１５】
また、前記印刷画像を印刷する際に該印刷画像と共に前記情報を印刷するか否か、についてのユーザによる選択、を受け付けるための第二選択受け付け部を有することとしてもよい。  
かかる場合には、印刷装置がコンピュータに電気的に接続されていない場合でも、ユーザが、前記印刷画像を印刷する際に該印刷画像と共に前記情報を印刷するか否か、を選択することができる。
【００１６】
また、前記コントローラは、前記印刷装置及び前記ロール紙のうちの少なくともどちらか一方に関する複数の情報を印刷可能であり、前記印刷画像と共に前記情報を印刷することをユーザが選択した場合と前記情報のみを印刷することをユーザが選択した場合とで、異なる情報を印刷することとしてもよい。  
かかる場合には、ユーザの利便性をより一層向上させることが可能となる。
【００１７】
また、前記コントローラは、前記情報を印刷した後に前記切断部材を動作させて前記ロール紙を切断することにより、ロール紙の、前記情報を印刷した部分を、全て切り離すか又は一部のみ切り離すか、についてのユーザの選択に基づいて、前記ロール紙の切断位置を異ならせることとしてもよい。  
かかる場合には、印刷した情報をロール紙上に残したいという、ユーザの要望と、情報が印刷された紙を手にとって見たり移動させたりしたいという、ユーザの要望、の双方を満たすことが可能となる。
【００１８】
また、ロール紙の、前記情報を印刷した部分を、全て切り離すか又は一部のみ切り離すか、についてのユーザによる選択、を受け付けるための第三選択受け付け部を有することとしてもよい。  
かかる場合には、印刷装置がコンピュータに電気的に接続されていない場合でも、ユーザが、ロール紙の、情報を印刷した部分を、全て切り離すか又は一部のみ切り離すか、を選択することができる。
【００１９】
また、ロール紙に印刷を行う印刷装置であって、ロール紙を装着するための装着部と、該装着部に装着されたロール紙に印刷するための印刷ヘッドと、前記印刷装置及び前記ロール紙のうちの少なくともどちらか一方に関する情報を、前記印刷ヘッドを用いて前記ロール紙に印刷するためのコントローラと、前記装着部に装着されたロール紙を切断するための切断部材と、を有し、前記コントローラは、前記情報を印刷した後に前記ロール紙を切断することをユーザが選択した場合には、前記情報を印刷した後に前記切断部材を動作させて前記ロール紙を切断することにより、ロール紙の、前記情報を印刷した部分、を切り離し、前記情報を印刷した後に前記ロール紙を切断しないことをユーザが選択した場合には、前記情報を印刷した後に前記切断部材による前記ロール紙の切断を行わず、前記情報を印刷した後に前記ロール紙を切断するか否か、についてのユーザによる選択、を受け付けるための選択受け付け部を有し、前記コントローラは、前記印刷装置及び前記ロール紙のうちの少なくともどちらか一方に関する複数の情報を印刷可能であり、前記情報を印刷した後に前記ロール紙を切断することをユーザが選択した場合と前記情報を印刷した後に前記ロール紙を切断しないことをユーザが選択した場合とで、異なる情報を印刷し、前記コントローラは、前記情報を、該情報とは異なる印刷画像と共に印刷可能であり、前記印刷画像を印刷する際に該印刷画像と共に前記情報を印刷するか否か、についてのユーザによる選択、を受け付けるための第二選択受け付け部を有し、前記コントローラは、前記印刷画像と共に前記情報を印刷することをユーザが選択した場合と前記情報のみを印刷することをユーザが選択した場合とで、異なる情報を印刷することを特徴とする印刷装置も実現可能である。  
このようにすれば、既述の殆どの効果を奏するため、本発明の目的がより有効に達成される。
【００２０】
また、ロール紙に印刷を行う印刷制御装置であって、ロール紙を装着するための装着部と、該装着部に装着されたロール紙に印刷するための印刷ヘッドと、前記印刷制御装置及び前記ロール紙のうちの少なくともどちらか一方に関する情報を、前記印刷ヘッドを用いて前記ロール紙に印刷するためのコントローラと、前記装着部に装着されたロール紙を切断するための切断部材と、前記情報を印刷した後に前記ロール紙を切断するか否か、についてのユーザによる選択、を受け付けるための選択受け付け部と、を有し、前記コントローラは、前記情報を印刷した後に前記ロール紙を切断することが前記選択受け付け部にて選択された場合には、前記情報を印刷した後に前記切断部材を動作させて前記ロール紙を切断することにより、ロール紙の、前記情報を印刷した部分、を切り離し、前記情報を印刷した後に前記ロール紙を切断しないことが前記選択受け付け部にて選択された場合には、前記情報を印刷した後に前記切断部材による前記ロール紙の切断を行わないことを特徴とする印刷制御装置。  
このようにすれば、ユーザにとって利便性の高い印刷制御装置を実現することが可能となる。
【００２１】
＝＝＝印刷制御装置の構成例＝＝＝
先ず、本実施の形態に係る印刷制御装置について、図１及び図２を参照しながら説明する。  
図１は、印刷制御装置７００の外観構成を示した説明図である。図２は、図１に示した印刷制御装置７００の構成の一部を示すブロック図である。
【００２２】
この印刷制御装置７００は、印刷装置の一例としてのインクジェットプリンタ（以下、プリンタともいう）１０と、当該プリンタ１０と通信可能なコンピュータ７０２と、を備えている。また、コンピュータ７０２は、コンピュータ本体７０３と、ＣＲＴ（Cathode Ray Tube：陰極線管）、液晶表示装置、プラズマディスプレイ等の表示装置７０４と、キーボード７０８Ａ、マウス７０８Ｂ等の入力装置７０８と、ＦＤ（フレキシブルドライブ）装置７１０Ａ、ＣＤ−ＲＯＭドライブ装置７１０Ｂ、ＭＯ（Magneto Optical）ディスクドライブ装置（不図示）、ＤＶＤ（Digital Versatile Disk）装置（不図示）等の読取装置７１０と、ＲＡＭ等の内部メモリ（不図示）と、ハードディスクドライブユニット等の外部メモリ（不図示）と、を備えている。
【００２３】
プリンタ１０は、紙、布、フィルム等の媒体に印刷画像を印刷する印刷装置である。本実施の形態に係るプリンタ１０は、ロール紙１が着脱可能となるように構成されており、プリンタ１０は、当該プリンタ１０に装着されたロール紙１に印刷画像を印刷する。なお、図１には、印刷制御装置７００と共に、プリンタ１０に着脱可能なロール紙１も示されている。
【００２４】
コンピュータ７０２は、プリンタ１０と電気的に接続されており、オペレーティングシステムと、当該オペレーティングシステムの下で動作するアプリケーションプログラム７９５、及び、プリンタドライバ７９６と、を有している。プリンタドライバ７９６には、画像処理部７９７と、表示インターフェース部８０１と、入力インターフェース部８０３と、ユーザインターフェース処理部８０５と、が備えられている。
【００２５】
アプリケーションプログラム７９５は、プリンタ１０に印刷を実施させるためのコンピュータ７０２上のプログラムである。アプリケーションプログラム７９５からの印刷実行命令により、アプリケーションプログラム上の画像データＡＤが、プリンタドライバ７９６へ送られる。
【００２６】
画像処理部７９７は、アプリケーションプログラム７９５により解釈され得る前記画像データＡＤを受け取り、プリンタ１０により解釈され得る印刷データＰＤに変換し、変換された印刷データＰＤを、各種制御信号ＣＯＭと共にプリンタ１０に送出する機能を有している。すなわち、プリンタドライバ７９６の画像処理部７９７は、上述した画像処理を行った後に、プリンタ１０に対し、印刷の実行を指示する。当該機能を実現するために、画像処理部７９７は、例えば、解像度の変換や、色成分の変換等を実施する。
【００２７】
表示インターフェース部８０１は、プリンタ１０に関連する種々のユーザインターフェースウィンドウを表示装置７０４に表示する機能を有している。また、入力インターフェース部８０３は、ユーザが前記ユーザインターフェースウィンドウ上で入力装置７０８によって入力した入力情報、を受け取る機能を有している。
【００２８】
ユーザインターフェース処理部８０５は、表示インターフェース部８０１又は入力インターフェース部８０３と、プリンタ１０間のインターフェースを取る機能を有している。例えば、ユーザインターフェース処理部８０５は、入力インターフェース部８０３から前記入力情報を受け取って、当該入力情報を解釈する。そして、プリンタ１０や画像処理部７９７へ各種制御信号ＣＯＭを送出する。また、プリンタ１０から受け取った各種制御信号ＣＯＭを解釈して、表示インターフェース部８０１へ表示に係る情報を送出する。
【００２９】
なお、コンピュータ７０２が備えるプリンタドライバ７９６は、コンピュータ読み取り可能な記録媒体に記録された形態で供給される。このような記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読み取り可能な種々の媒体を利用できる。また、このようなコンピュータプログラムを、インターネットを介してコンピュータ７０２にダウンロードすることも可能である。
【００３０】
なお、以上の説明においては、プリンタ１０が、コンピュータ本体７０３、表示装置７０４、入力装置７０８、読取装置７１０、内部メモリ、外部メモリを備えたコンピュータ７０２、と電気的に接続されて印刷制御装置７００が構成されている例について説明したが、プリンタ１０に、コンピュータ本体７０３、表示装置７０４、入力装置７０８、読取装置７１０、内部メモリ、外部メモリがそれぞれ有する機能又は機構の一部を持たせてもよい。例えば、プリンタ１０が、画像処理を行う画像処理部、各種の表示を行う表示部、及び、デジタルカメラ等により撮影された画像データを記録した記録メディアを着脱するための記録メディア着脱部を有する構成としてもよい。
【００３１】
したがって、「印刷制御装置」とは、狭義には、プリンタ１０とコンピュータ７０２とを含むコンピュータシステムを意味するが、広義には、コンピュータ７０２に係る前記機能又は機構、を備えたプリンタ１０等の印刷装置をも意味する。
【００３２】
＝＝＝印刷装置の構成例＝＝＝
次に、印刷装置の一例としてのプリンタ１０について、図３乃至図５を参照しながら説明する。図３は、プリンタ１０の外観構成を示した説明図である。図４は、プリンタの構成を示したブロック図である。図５は、プリンタ１０の構成要素の一部を模式的に表した模式図である。なお、図３においては、後述するホルダー１４ａの構成を明示するために、ロール紙装着ユニット１４が、プリンタ１０の筐体１２及びロール紙１から取り外された状態にて、示されている。
【００３３】
＜＜＜プリンタ１０の外観構成について＞＞＞
先ず、プリンタ１０の外観構成について、図３を用いて説明する。このプリンタ１０は、筐体１２と、装着部の一例としてのロール紙装着ユニット１４と、給紙部１６と、排紙部１８と、操作パネル２０と、を有している。
【００３４】
筐体１２は、プリンタ１０の種々の構成要素を中に収める箱である。  
ロール紙装着ユニット１４は、ロール紙１を装着するためのものであり、装着されたロール紙１を保持する。ロール紙１は、芯材３と、芯材３の外周に巻き付けられた印刷用紙と、を備えている。なお、「ロール紙」とは、芯材３と芯材３の外周に巻き付けられた印刷用紙とを併せたものを意味するが、狭義には、当該印刷用紙のみをも意味する。  
ロール紙装着ユニット１４には、ホルダー１４ａが設けられている。当該ホルダー１４ａは、プリンタ１０の背面の両側に対をなすように配置され、双方によりロール紙１を挟むようにしてロール紙１を保持する。なお、ロール紙装着ユニット１４には、ロール紙１がロール紙装着ユニット１４に装着されたことを検知するための装着検知センサ（不図示）も備えられている。
【００３５】
給紙部１６は、プリンタ１０の背面に設けられた、ロール紙１の筐体１２内への挿入口である。排紙部１８は、プリンタ１０の前面に設けられた、ロール紙１の筐体１２外への排出口である。すなわち、プリンタ１０は、背面から挿入されたロール紙１を前面から排出する構成を備えている。なお、プリンタ１０には、当該プリンタ１０の不使用時に排紙部１８を塞ぐ排紙トレー１９、も設けられている。  
操作パネル２０は、プリンタ１０の前面に設けられており、操作ボタン２０ａと、液晶表示部２０ｂとを備えている。ユーザは、液晶表示部２０ｂに表示された情報（メニュー画面等）を参照しながら操作ボタン２０ａを操作することによって、プリンタ１０に対し種々の指令を与えることができる。
【００３６】
＜＜＜プリンタ１０の内部構成について＞＞＞
次に、プリンタ１０の内部構成について、図４及び図５を用いて説明する。プリンタ１０は、カラー画像を印刷可能であり、例えば、シアン（Ｃ）、マゼンタ（Ｍ）、イエロー（Ｙ）、ブラック（Ｋ）の４色の色インクをロール紙１に吐出してドットを形成することによって印刷画像を形成する。なお、色インクとして、上記４色に加えて、ライトシアン（淡いシアン、ＬＣ）、ライトマゼンタ（淡いマゼンタ、ＬＭ）、ダークイエロー（暗いイエロー、ＤＹ）、ライトブラック（淡いブラック、ＬＫ）等を用いても良い。
【００３７】
このプリンタ１０は、搬送ユニット２５と、キャリッジユニット３０と、ヘッドユニット３５と、カッターユニット４０と、検出器群４５と、タイマー５０と、コントローラ６０と、を有している。
【００３８】
搬送ユニット２５は、ロール紙１を印刷可能な位置に送り込み、印刷時に所定の搬送方向に所定の搬送量でロール紙１を搬送させるためのものである。搬送ユニット２５は、ロール紙１の給紙、搬送、排紙等を行うための複数のローラや、これらのローラに回転力を与えるモータや、印刷中にロール紙１を支持するためのプラテン等を有している（図５には、これらの構成要素の一部、すなわち、搬送ローラ２６、排紙ローラ２７、及び、プラテン２８、が示されている）。
【００３９】
キャリッジユニット３０は、印刷ヘッド３６（図５）を所定の移動方向（図５において、紙面を貫く方向）に移動させるためのものである。キャリッジユニット３０は、キャリッジ３１（図５）や当該キャリッジ３１を移動させるためのキャリッジモータ等を有している。キャリッジ３１には印刷ヘッド３６が搭載されており、当該キャリッジ３１は前記移動方向に往復移動可能である。これにより、印刷ヘッド３６が当該移動方向に沿って移動する。さらに、キャリッジ３１には、バーコードリーダー４７（図５）が搭載されており、当該バーコードリーダー４７も、キャリッジ３１の移動に伴って前記移動方向に移動する。なお、キャリッジ３１は、インクを収容するインクカートリッジを着脱可能に保持している。
【００４０】
ヘッドユニット３５は、ロール紙１にインクを吐出するためのものである。ヘッドユニット３５は、印刷ヘッド３６等を有している。印刷ヘッド３６は、インク吐出部であるノズルを複数有し、各ノズルから断続的にインクを吐出する。この印刷ヘッド３６は、キャリッジ３１に設けられている。そのため、キャリッジ３１が前記移動方向に移動すると、印刷ヘッド３６も当該移動方向に移動する。そして、印刷ヘッド３６が移動中にインクを断続的に吐出することによって、前記移動方向に沿ったドットライン（ラスタライン）がロール紙１に形成される。
【００４１】
カッターユニット４０は、ロール紙１を切断して、ロール紙１の印刷部分を切り離すためのものである。カッターユニット４０は、切断部材の一例としての、回転刃を有するカッター４１（図５）と、回転刃を回転させたり、カッター４１をキャリッジ３１の移動方向に沿った方向に移動させたりするためのモータ等を有している。回転刃が回転している状態でカッター４１が前記方向に移動するとロール紙１が切断される。
【００４２】
検出器群４５には、前述したバーコードリーダー４７、装着検知センサの他に、リニア式エンコーダ、ロータリー式エンコーダ、温湿度計等が含まれている。リニア式エンコーダは、キャリッジ３１の移動方向の位置を検出するためのものである。ロータリー式エンコーダは、搬送ローラ２６の回転量を検出するためのものである。温湿度計は、プリンタ１０内の温度や湿度を検出するためのものである。  
タイマー５０は、現在の日付、時刻を得るための時計である。
【００４３】
コントローラ６０は、プリンタ１０の制御を行うためのものである。コントローラ６０は、図４に示すように、インターフェース部６２と、イメージバッファ６４と、ＣＰＵ６６と、メモリ６８と、ユニット制御回路７０と、を有している。インターフェース部６２は、コンピュータ７０２との間でデータや信号の送受信を行うためのものである。イメージバッファ６４は、印刷データＰＤを格納するためのものである。ＣＰＵ６６は、プリンタ全体の制御を行うための演算処理装置である。メモリ６８は、プログラムや各種情報を格納する領域や作業領域等を確保するためのものであり、ＲＡＭ、ＥＥＰＲＯＭ等を有する。ユニット制御回路７０は、各ユニット（搬送ユニット２５、キャリッジユニット３０、ヘッドユニット３５、カッターユニット４０）を制御するためのものである。
【００４４】
コントローラ６０が、コンピュータ７０２から印刷データＰＤ及び制御信号ＣＯＭをインターフェース部６２で受信すると、印刷データＰＤは、イメージバッファ６４に格納される。ＣＰＵ６６は、当該制御信号ＣＯＭに基づいて、イメージバッファ６４から印刷データＰＤを読み出しつつ各ユニット（搬送ユニット２５、キャリッジユニット３０、ヘッドユニット３５、カッターユニット４０）を、ユニット制御回路７０を介して制御する。このようにして、コントローラ６０は、ロール紙１に印刷画像を印刷し、ロール紙１の、印刷画像が印刷された部分、を適宜切り離す。なお、プリンタ１０内の状況は検出器群４５によって監視されており、検出器群４５は、検出結果をコントローラ６０に出力する。検出器群４５から検出結果を受けたコントローラ６０は、その検出結果に基づいて、各ユニットを制御する。
【００４５】
また、本実施の形態に係るコントローラ６０は、コンピュータ７０２がプリンタ１０に電気的に接続されていない場合でも、ロール紙１に印刷画像を印刷することができる。かかる場合には、ＣＰＵ６６が、メモリ６８内のプログラムに基づいて、メモリ６８内の各種情報を適宜参照しながら、印刷データＰＤと制御信号ＣＯＭを作成する。印刷データＰＤはイメージバッファ６４に格納され、ＣＰＵ６６は、当該制御信号ＣＯＭに基づいて、イメージバッファ６４から印刷データＰＤを読み出しつつ各ユニットを制御する。このようにして、コントローラ６０は、ロール紙１に印刷画像を印刷し、ロール紙１の、印刷画像が印刷された部分、を適宜切り離す。
【００４６】
＝＝＝情報のロール紙への印刷について＝＝＝
本実施の形態に係る印刷制御装置７００（プリンタ１０）を用いると、印刷制御装置７００（プリンタ１０）に関する情報とロール紙１に関する情報を、ユーザが当該情報の印刷を指示することにより、ロール紙１に印刷することができる。  
以下、当該情報のロール紙１への印刷について説明する。
【００４７】
本実施の形態に係るプリンタ１０においては、前述したコントローラ６０により、ロール紙１に関する情報として、ロール紙１の残量情報、ロール紙１の紙種情報、ロール紙１のサイズ情報、ロール紙１の使用開始日付、が印刷可能となっている。また、印刷制御装置７００（プリンタ１０）に関する情報として、プリンタ１０の機種名、プリンタ１０の供給者情報、プリンタ１０を個々に特定するＩＤ情報が印刷可能となっている。さらに、広義に解釈される、印刷制御装置７００（プリンタ１０）に関する情報として、プリンタ１０のランニングコスト（以下、単に、ランニングコストと呼ぶ）を示す情報、プリンタ１０の使用環境（以下、単に、使用環境と呼ぶ）を示す情報、及び、これらの情報を印刷した日付が印刷可能となっている。
【００４８】
ここで、上述した各々の情報について、説明を加える。ロール紙１の残量情報とは、例えばあと何メートル分のロール紙１が残っているかを示す情報である。ロール紙１の紙種情報とは、例えば用紙の種類（普通紙、専用紙、光沢紙等の特殊用紙等）を示す情報である。ロール紙１のサイズ情報とは、ロール紙１のサイズ（Ａ４、Ｂ５等）を示す情報である。ロール紙１の使用開始日付とは、ロール紙１を開封して当該ロール紙１を初めてプリンタに装着した日付を示す情報である。
【００４９】
プリンタ１０の機種名とは、プリンタ１０の機種の名称である。プリンタ１０の供給者情報とは、例えば、プリンタ１０を供給する供給者の名称や、供給者を表すロゴ等である。ここで、供給者とは、製品の製造者の場合もあるし、製品の製造及び販売を行う者の場合もあるし、実質的には製造を行わずある製造者の製品のＯＥＭ供給を受けて販売する者の場合もある。プリンタ１０を個々に特定するＩＤ情報とは、例えばプリンタ１０の製造ＩＤ番号である。
【００５０】
ランニングコストとは、ロール紙１に印刷画像を印刷することにより発生するコストである。すなわち、ランニングコストとは、ロール紙１に印刷画像を印刷する際に消費されるインク及びロール紙１、の値段である。なお、本実施の形態においては、２種類のランニングコスト、すなわち、ロール紙１の単位長さ（例えば、１ｍ）あたり平均してどれ位のコストがかかっているかを表す平均ランニングコスト（以下、第一ランニングコストと呼ぶ）と、ある印刷画像を印刷したときにどのくらいのコストが発生したかを表すランニングコスト（以下、第二ランニングコストと呼ぶ）、が印刷可能となっている。使用環境とは、プリンタ１０が使用されているときの動作環境であり、例えば、温度や湿度がこれに該当する。
【００５１】
なお、上述した情報のうち、ロール紙１の残量（総量）情報、ロール紙１の紙種情報、ロール紙１のサイズ情報は、ロール紙１の出荷前（ロール紙１を工場にて製造するとき等）に、バーコードの形態でロール紙１に印刷される情報である。また、かかる際には、ロール紙１の出荷前にバーコード化された上記情報が印刷されたことを示すフラグ（情報）も、併せて、バーコードの形態でロール紙１に印刷される。
【００５２】
＝＝＝プリンタ等の動作＝＝＝
次に、前記情報を印刷する際のプリンタ１０等の動作について、説明する。本実施の形態に係るプリンタ１０は、前記コントローラ６０により、前記情報を単独で（前記情報のみを）印刷することもできるし、前記情報を当該情報とは異なる印刷画像と共に印刷することもできる。以下、双方の場合について、図を参照しながら説明する。
【００５３】
＜＜＜情報のみを印刷する際のプリンタ等の動作＞＞＞
先ず、情報のみを印刷する際のプリンタ１０等の動作について、図６乃至図１１を用いて説明する。図６は、プリンタ１０等の動作を説明するためのフローチャートである。図７は、ユーザが第一選択肢を選択した後に、ロール紙１に情報が印刷された様子を示す模式図である。図８は、ユーザが第二選択肢を選択した後に、ロール紙１に情報が印刷された様子を示す模式図である。図９は、ユーザが第三選択肢を選択した後に、ロール紙１に情報が印刷された様子を示す模式図である。図１０は、ロール紙１の、情報を印刷した部分、が全て切り離された様子を示す模式図である。図１１は、ロール紙１の、情報を印刷した部分、が一部のみ切り離された様子を示す模式図である。
【００５４】
このフローチャートは、ユーザが操作パネル２０にて情報の印刷を指示することから始まる（ステップＳ２）。例えば、ユーザは、先ず、操作ボタン２０ａを操作して、情報の印刷を指示するための画面を液晶表示部２０ｂに表示させる。ユーザは、当該画面を参照しながら、操作ボタン２０ａを操作することにより、情報の印刷を指示する。
【００５５】
そして、情報の印刷が指示されると、液晶表示部２０ｂに、情報を印刷した後にロール紙を切断するか否か、をユーザに選択させるための選択画面が表示される。本実施の形態においては、当該選択画面に三つの選択肢が表示される。
【００５６】
ここで、当該三つの選択肢について、具体的に説明する。先ず、第一の選択肢として、情報を印刷した後にロール紙１を切断しないこと、をユーザが選択できる。ユーザがこの選択肢を選択した場合には、情報印刷後のカッター４１によるロール紙１の切断は行われないため、ロール紙１の、情報を印刷した部分は、ロール紙１に残存することとなる。したがって、ユーザが印刷した情報をロール紙１上に残したい場合に、当該第一の選択肢が選択される。
【００５７】
次に、第二の選択肢として、情報を印刷した後にロール紙１を切断すること、をユーザが選択できる。ユーザがこの選択肢を選択した場合には、情報印刷後に、ロール紙１がカッター４１により切断され、ロール紙１の、情報を印刷した部分、が全て切り離される。したがって、ユーザが、情報が印刷された紙を、手にとって見たり移動させたりしたい場合に、当該第二の選択肢が選択される。
【００５８】
また、ユーザが第三の選択肢を選択した場合にも、第二の選択肢を選択したときと同様、情報印刷後に、ロール紙１がカッター４１により切断される。しかしながら、第二の選択肢を選択したときとは異なり、ロール紙１の、情報を印刷した部分、が一部のみ切り離される。したがって、ロール紙１の、情報を印刷した部分、の一部がロール紙１に残存し、一部が切り離されることとなる。すなわち、当該第三の選択肢を選択すれば、第一の選択肢に係るユーザの前記要望と第二の選択肢に係るユーザの前記要望の双方が同時に満たされることとなる。
【００５９】
このように、本実施の形態においては、プリンタ１０に設けられている操作パネル２０が、情報を印刷した後にロール紙１を切断するか否か、についてのユーザによる選択、を受け付けるための選択受け付け部の機能と、ロール紙１の、前記情報を印刷した部分を、全て切り離すか又は一部のみ切り離すか、についてのユーザによる選択、を受け付けるための第三選択受け付け部の機能、の双方を有している。ユーザが、操作ボタン２０ａを操作して、三つの選択肢のうちの一を選択すると（ステップＳ４）、三つの選択肢のうちどの選択肢が選択されたか、を示すデータ（以下、選択データとも呼ぶ）が、情報印刷指令と共に、制御信号ＣＯＭの形態で、コントローラ６０に送出される（ステップＳ６）。
【００６０】
プリンタ１０のコントローラ６０が、制御信号ＣＯＭを受信すると、コントローラ６０は、当該制御信号ＣＯＭに含まれる情報印刷指令に基づいて、情報をロール紙１に印刷する準備を開始する。ここで、コントローラ６０は、前述した１１種類の情報（すなわち、ロール紙１の残量情報、ロール紙１の紙種情報、ロール紙１のサイズ情報、ロール紙１の使用開始日付、プリンタ１０の機種名、プリンタ１０の供給者情報、プリンタ１０を個々に特定するＩＤ情報、第一ランニングコストを示す情報、第二ランニングコストを示す情報、使用環境を示す情報、及び、これらの情報を印刷した日付）を印刷することができるが、コントローラ６０は、情報を印刷した後にロール紙１を切断することをユーザが選択した場合と情報を印刷した後にロール紙１を切断しないことをユーザが選択した場合とで、異なる情報を印刷する。
【００６１】
より具体的に説明する。本実施の形態においては、ユーザが第一選択肢を選択した場合には、前記１１種類の情報のうち、ロール紙１の残量情報、ロール紙１の紙種情報、ロール紙１のサイズ情報、ロール紙１の使用開始日付、プリンタ１０の機種名、プリンタ１０の供給者情報、プリンタ１０を個々に特定するＩＤ情報、及び、これらの情報を印刷した日付（これらの情報群を、以下、第一の選択肢に係る情報とも呼ぶ）を、ロール紙１に印刷する（図７）。また、ユーザが第二選択肢を選択した場合には、ロール紙１の残量情報、ロール紙１の紙種情報、ロール紙１のサイズ情報、プリンタ１０の機種名、プリンタ１０の供給者情報、プリンタ１０を個々に特定するＩＤ情報、第一ランニングコストを示す情報、使用環境を示す情報、及び、これらの情報を印刷した日付（これらの情報群を、以下、第二の選択肢に係る情報とも呼ぶ）を、ロール紙１に印刷する（図８）。また、ユーザが第三選択肢を選択した場合には、第二の選択肢に係る情報をロール紙１の上部に、第一の選択肢に係る情報をその下部に、印刷する（図９）。なお、いずれの場合にも、上述した情報は、バーコードリーダーで読み取り可能となるようにバーコード化され、バーコードの形態でも印刷される。
【００６２】
したがって、コントローラ６０内のＣＰＵ６６は、先ず初めに、ユーザの選択した選択肢に応じた画像、を作成するために必要な情報を、ＥＥＰＲＯＭ、タイマー５０、又は、温湿度計から取得する（ステップＳ８）。すなわち、制御信号ＣＯＭに含まれる選択データが、第一選択肢の選択を示している場合には、ＣＰＵ６６は、ロール紙１の残量情報、ロール紙１の紙種情報、ロール紙１のサイズ情報、ロール紙１の使用開始日付、プリンタ１０の機種名、プリンタ１０の供給者情報、プリンタ１０を個々に特定するＩＤ情報をＥＥＰＲＯＭから、これらの情報を印刷した日付をタイマー５０から、それぞれ取得する。また、前記選択データが、第二選択肢の選択を示している場合には、ＣＰＵ６６は、ロール紙１の残量情報、ロール紙１の紙種情報、ロール紙１のサイズ情報、プリンタ１０の機種名、プリンタ１０の供給者情報、プリンタ１０を個々に特定するＩＤ情報、第一ランニングコストを示す情報をＥＥＰＲＯＭから、使用環境を示す情報を温湿度計から、これらの情報を印刷した日付をタイマー５０から、それぞれ取得する。さらに、前記選択データが、第三選択肢の選択を示している場合には、ＣＰＵ６６は、ロール紙１の残量情報、ロール紙１の紙種情報、ロール紙１のサイズ情報、ロール紙１の使用開始日付、プリンタ１０の機種名、プリンタ１０の供給者情報、プリンタ１０を個々に特定するＩＤ情報、第一ランニングコストを示す情報をＥＥＰＲＯＭから、使用環境を示す情報を温湿度計から、これらの情報を印刷した日付をタイマー５０から、それぞれ取得する。
【００６３】
なお、プリンタ１０に関する情報（プリンタ１０の機種名、プリンタ１０の供給者、及び、プリンタ１０を個々に特定するＩＤ、に係る情報）は、不変の情報として、予めＥＥＰＲＯＭ内に格納されているが、ロール紙１に関する情報（ロール紙１の残量、ロール紙１の紙種、ロール紙１のサイズ、及び、ロール紙１の使用開始日付に係る情報）及び第一ランニングコストを示す情報は、最新かつ正確な情報が常にＥＥＰＲＯＭに格納されるように、コントローラ６０内で管理される。
【００６４】
ここで、コントローラ６０が、ロール紙１に関する情報及び第一ランニングコストを示す情報を管理する方法について、説明する。  
先ず、ロール紙１に関する情報について説明する。新品のロール紙１がロール紙装着ユニット１４に装着されると、装着検知センサがロール紙１の装着を検知する。前述したとおり、新品のロール紙１には、ロール紙１の残量（総量）情報、ロール紙１の紙種情報、ロール紙１のサイズ情報、及び、ロール紙１の出荷前にバーコード化された上記情報が印刷されたことを示すフラグ（情報）が、バーコードの形態で印刷されている。コントローラ６０は、装着検知センサの出力に基づいて、キャリッジ３１を移動させつつバーコードリーダー４７を動作させることにより、これらの情報を読み取る。コントローラ６０は、読み取ったロール紙１の残量（総量）情報、ロール紙１の紙種情報、及び、ロール紙１のサイズ情報をＥＥＰＲＯＭに格納する。また、前記フラグを解釈し、タイマー５０から現在の日付を取得して当該日付に係る情報をＥＥＰＲＯＭに格納する。
【００６５】
ロール紙１を使い切る前に、ユーザがロール紙１をプリンタ１０から取り外した後に、当該ロール紙１を再使用するために当該ロール紙１がロール紙装着ユニット１４に装着される場合（すなわち、新品でないロール紙１が装着される場合）にも、装着検知センサがロール紙１の装着を検知する。前述したとおり、プリンタ１０は、ロール紙１に関する情報（ロール紙１の残量情報、ロール紙１の紙種情報、ロール紙１のサイズ情報、及び、ロール紙１の使用開始日付に係る情報）をバーコード化してロール紙１に印刷可能である。したがって、これらの情報がバーコードの形態でロール紙１に印刷されている場合には、コントローラ６０は、装着検知センサの出力に基づいて、キャリッジ３１を移動させつつバーコードリーダー４７を動作させることにより、これらの情報を読み取る。コントローラ６０は、読み取った当該情報をＥＥＰＲＯＭに格納する。一方、これらの情報がバーコードの形態でロール紙１に印刷されていない場合には、コントローラ６０が、バーコードリーダー４７を動作させることによりバーコード化された当該情報が印刷されていないことを検出して、当該情報の入力をユーザに促す。かかる際には、ユーザによって入力された当該情報がＥＥＰＲＯＭに格納される。
【００６６】
また、ロール紙１に関する前述した情報のうち、ロール紙１の紙種情報、ロール紙１のサイズ情報、及び、ロール紙１の使用開始日付に係る情報は、ロール紙１の脱着が行われない限り不変の情報であるが、ロール紙１の残量に関する情報は、プリンタ１０の使用に応じて変化する情報である。かかる情報は、例えば、前述したロータリー式エンコーダにより検出される搬送ローラ２６の回転量からロール紙１の消費量が算出され、算出された当該消費量が前記残量から差し引かれることにより、随時更新される。
【００６７】
次に、第一ランニングコストを示す情報について、説明する。ロール紙１とインクの消費量は、例えば印刷ジョブ毎に、算出される。ここで、ロール紙１の消費量については、前述したとおり、ロータリー式エンコーダにより検出される搬送ローラ２６の回転量から算出される。一方、インクの消費量については、前述したプリンタドライバ７９６が、画像データＡＤを印刷データＰＤに変換する際に、当該画像データＡＤに基づいて算出する。算出されたインクの消費量は、印刷データＰＤと共に制御信号ＣＯＭとしてコントローラ６０に送出される。一方、ＥＥＰＲＯＭには、ロール紙１及びインクの単位量あたりの値段がデータベース化されており、コントローラ６０は、算出式（インクの値段×インクの消費量＋ロール紙１の値段×ロール紙１の消費量）により、コストを算出する。なお、ロール紙１及びインクの単位量あたりの値段については、ロール紙１やインクカートリッジが装着された際に、当該情報の入力をユーザに促すようにしてもよい。かかる場合には、ユーザによって入力された情報（値段）がＥＥＰＲＯＭに格納される。
【００６８】
このようにして、コントローラ６０は、印刷ジョブ毎に、当該印刷ジョブにより印刷画像を印刷する際に発生するコストを算出し、当該コストを過去に発生したコスト（総コスト）に加算することにより、総コストを更新する。また、コントローラ６０は、同様に、ロール紙１の消費量も更新する。そして、算出式（更新された総コスト÷ロール紙１の更新された消費量）により、第一ランニングコスト（ロール紙１の単位長さあたり平均してどれ位のコストがかかっているか）を算出し、コントローラ６０は、当該第一ランニングコストを更新する。
【００６９】
ここで、図６に示したフローチャートに戻って、説明を続ける。上記のようにして、ユーザの選択した選択肢に応じた画像、を作成するために必要な情報を取得したＣＰＵ６６は、これらの情報を含んだ図７、図８、又は、図９に示す画像を前記選択肢に応じて作成する（ステップＳ１０）。そして、ＣＰＵ６６は、作成された当該画像を印刷画像として印刷するための印刷データＰＤと制御信号ＣＯＭに変換し（ステップＳ１２）、当該印刷データＰＤをイメージバッファ６４に格納する（ステップＳ１４）。ＣＰＵ６６は、制御信号ＣＯＭに基づいて、イメージバッファ６４から印刷データＰＤを読み出しつつ各ユニットを制御して、ロール紙１に図７、図８、又は、図９に示す印刷画像（情報）を印刷する（ステップＳ１６）。
【００７０】
次に、コントローラ６０は、ロール紙１を切断することをユーザが選択した場合には、カッター４１を動作させてロール紙１を切断することにより、ロール紙１の、情報を印刷した部分、を切り離す。一方、ロール紙１を切断しないことをユーザが選択した場合には、カッター４１によるロール紙１の切断を行うことなく、印刷処理を終了する。
【００７１】
すなわち、前記選択データが第一選択肢の選択を示している場合には（ステップＳ１８：第一選択肢）、コントローラ６０は、カッター４１によるロール紙１の切断を行うことなく、印刷処理を終了する（ステップＳ２４）。一方、前記選択データが第二選択肢又は第三選択肢の選択を示している場合には（ステップＳ１８：第二選択肢、第三選択肢）、コントローラ６０は、カッター４１を動作させてロール紙１を切断することにより、ロール紙１の、情報を印刷した部分、を切り離して（ステップＳ２０、ステップＳ２２）、印刷処理を終了する（ステップＳ２４）。
【００７２】
なお、コントローラ６０は、前記情報を印刷した後にカッター４１を動作させてロール紙１を切断することにより、ロール紙１の、前記情報を印刷した部分を、全て切り離すか又は一部のみ切り離すか、についてのユーザの選択、に基づいてロール紙１の切断位置を異ならせる。
【００７３】
すなわち、コントローラ６０は、前記選択データが第二選択肢を示している場合には（ステップＳ１８：第二選択肢）、図１０に示すように、カッター４１を動作させてロール紙１を切断することにより、ロール紙１の、情報を印刷した部分、を全て切り離す（ステップＳ２０）。一方、前記選択データが第三選択肢を示している場合には（ステップＳ１８：第三選択肢）、図１１に示すように、ロール紙１の、情報を印刷した部分、を一部のみ切り離す（ステップＳ２２）。
【００７４】
＜＜＜情報を当該情報とは異なる印刷画像と共に印刷する際のプリンタ等の動作＞＞＞
次に、情報を当該情報とは異なる印刷画像と共に印刷する際のプリンタ１０等の動作について、図１２乃至図１４を用いて説明する。図１２は、プリンタ１０等の動作を説明するためのフローチャートである。図１３は、プリンタドライバ７９６のユーザインターフェース画面を示す図である。図１４は、ロール紙１に情報及び当該情報とは異なる印刷画像が印刷された様子を示す模式図である。
【００７５】
このフローチャートは、ユーザが、アプリケーションプログラム７９５を用いて画像を作成することから始まる（ステップＳ１０２）。例えば、ユーザは、ワープロソフトを用いて、企画書を作成する。企画書の作成が完了したら、ユーザは、プリンタ１０に対し印刷の実行を指示するが、かかる際に、ユーザは、プリンタドライバ７９６の前記入力インターフェース部８０３にて、当該企画書に係る印刷画像と共に前記情報を印刷すること、を指示する（ステップＳ１０４）。例えば、ユーザは、印刷の実行を指示する前に、入力装置７０８を用いて、図１３に示すプリンタドライバ７９６のユーザインターフェース画面を表示装置７０４に表示させる。ユーザは、マウス７０８Ｂを用いて、図中矢印で示した部分にチェックマークを付けることにより、当該企画書に係る印刷画像と共に前記情報を印刷すること、を選択する。そして、ユーザが、選択終了後に、マウス７０８Ｂで「ＯＫ」をクリックすると、入力インターフェース部８０３にて当該選択が受け付けられる。このように、本例においては、入力インターフェース部８０３が、企画書に係る印刷画像を印刷する際に該企画書に係る印刷画像と共に前記情報を印刷するか否か、についてのユーザによる選択、を受け付けるための第二選択受け付け部となっている。
【００７６】
次に、ユーザは、プリンタ１０に対し印刷の実行を指示する（ステップＳ１０６）。当該印刷実行の指示により、ワープロソフト上の画像データＡＤが、画像処理部７９７へ送られる（ステップＳ１０７）。画像処理部７９７は、受け取った画像データＡＤを、印刷データＰＤに変換し、変換された印刷データＰＤを、各種制御信号ＣＯＭと共にプリンタ１０に送出する（ステップＳ１０８）。一方、これと平行して、入力インターフェース部８０３は、企画書に係る印刷画像と共に前記情報を印刷すること、を示すデータを、ユーザインターフェース処理部８０５を介して、制御信号ＣＯＭの形態でプリンタ１０に送出する（ステップＳ１１０）。
【００７７】
プリンタ１０のコントローラ６０が、コンピュータ７０２から印刷データＰＤ及び制御信号ＣＯＭをインターフェース部６２で受信すると、印刷データＰＤは、一旦、イメージバッファ６４に格納される（ステップＳ１１２）。そして、コントローラ６０は、企画書に係る印刷画像と共に前記情報を印刷すること、を示すデータに基づいて、当該情報と当該印刷画像とをロール紙１に印刷する準備を開始する。ここで、コントローラ６０は、前述した１１種類の情報を印刷することができるが、コントローラ６０は、前記企画書に係る印刷画像と共に前記情報を印刷することをユーザが選択した場合には、前記情報のみを印刷することをユーザが選択した場合と異なる情報を印刷する。より具体的に説明すると、本例においては、前記１１種類の情報のうち、ロール紙１の紙種情報、ロール紙１のサイズ情報、プリンタ１０の機種名、プリンタ１０の供給者情報、第二ランニングコストを示す情報、及び、これらの情報を印刷した日付を、ロール紙１に印刷する（図１４）。なお、本例においても、上述した情報は、バーコードリーダーで読み取り可能となるようにバーコード化され、バーコードの形態でも印刷される。
【００７８】
したがって、コントローラ６０内のＣＰＵ６６は、先ず、ロール紙１の紙種情報、ロール紙１のサイズ情報、プリンタ１０の機種名、及び、プリンタ１０の供給者情報をＥＥＰＲＯＭから、これらの情報を印刷した日付をタイマー５０から、それぞれ取得する（ステップＳ１１４）。さらに、コントローラ６０は、以下に示す方法で第二ランニングコストを算出する（ステップＳ１１４）。
【００７９】
すなわち、コントローラ６０は、算出式（インクの値段×インクの消費量＋ロール紙１の値段×ロール紙１の消費量）により、第二ランニングコストを算出する。ここで、ロール紙１及びインクの単位量あたりの値段については、前述した第一ランニングコストと同様、ＥＥＰＲＯＭから取得される。また、企画書に係る印刷画像を印刷することによるロール紙１の消費量及びインクの消費量については、前述したプリンタドライバ７９６内で、画像データＡＤに基づいて算出され、算出されたこれらの消費量が、印刷データＰＤと共に制御信号ＣＯＭとしてコントローラ６０に送出される。さらに、前記情報を印刷することによるロール紙１の消費量及びインクの消費量については、コントローラ６０内で算出される。
【００８０】
そして、コントローラ６０内のＣＰＵ６６は、これらの情報を含んだ画像を作成する（ステップＳ１１６）。そして、ＣＰＵ６６は、作成された当該画像を印刷画像として印刷するための印刷データＰＤと制御信号ＣＯＭに変換し（ステップＳ１１８）、当該情報が前記企画書に係る印刷画像に引き続いてロール紙１に印刷されるように、当該印刷データＰＤをイメージバッファ６４に格納する（ステップＳ１２０）。  
ＣＰＵ６６は、制御信号ＣＯＭに基づいて、イメージバッファ６４から印刷データＰＤを読み出しつつ各ユニットを制御して、ロール紙１に図１４に示す印刷画像（企画書に係る印刷画像及び情報）を印刷する（ステップＳ１２２）。  
そして、コントローラ６０は、カッター４１を動作させてロール紙１を切断することにより、ロール紙１の、企画書に係る印刷画像及び情報を印刷した部分、を切り離して（ステップＳ１２４）、印刷処理を終了する（ステップＳ１２６）。
【００８１】
このように、ユーザが、情報を印刷した後にロール紙を切断したいと考えた場合には、ユーザは、液晶表示部２０ｂに表示される前記選択画面にて第二選択肢又は第三選択肢を選択することだけではなく、本項において説明した方策を採ることもできる。
【００８２】
＝＝＝本実施の形態に係るプリンタ１０等の有効性について＝＝＝
上述したとおり、本実施の形態に係るプリンタ１０は、プリンタ１０及びロール紙１のうちの少なくともどちらか一方に関する情報を、印刷ヘッド３６を用いてロール紙１に印刷可能なコントローラ６０を有し、当該コントローラ６０は、前記情報を印刷した後にロール紙１を切断することをユーザが選択した場合には、前記情報を印刷した後にカッター４１を動作させてロール紙１を切断することにより、ロール紙１の、前記情報を印刷した部分、を切り離し、前記情報を印刷した後にロール紙１を切断しないことをユーザが選択した場合には、前記情報を印刷した後にカッター４１によるロール紙１の切断を行わない。このことにより、ユーザにとって利便性の高いプリンタ１０及び印刷制御装置７００が実現される。
【００８３】
すなわち、発明が解決しようとする課題の項等で説明したとおり、ロール紙１を使い切る前に、ユーザがプリンタ１０に装着されているロール紙１をプリンタ１０から取り外す場合がある。一例を挙げると、ユーザが、他の紙種のロール紙１に印刷を行うために、プリンタ１０に装着されているロール紙１を当該他の紙種のロール紙１と交換する場合に、かかる状況が生じうる。
【００８４】
そして、ユーザが取り外されたロール紙１をある一定の期間使用しない場合には、ユーザは当該ロール紙１を保管することになるが、ユーザが当該ロール紙１を再度使用する際に、以下の不都合が生ずる可能性がある。すなわち、ユーザが、このロール紙１をプリンタ１０に装着して使用することが妥当かどうか、また、このロール紙１をどのプリンタ１０に装着すべきか、戸惑う可能性がある。
【００８５】
そして、かかる不都合を解消するためには、上述したロール紙１やプリンタ１０に関する情報をロール紙１に印刷可能なプリンタ１０が有効である。ユーザが、使い切る前のロール紙１をプリンタ１０から取り外す際に、これらの情報を印刷しておけば、ユーザは、当該ロール紙１を再度使用する際に、当該情報を参照することにより、このロール紙１をプリンタ１０に装着して使用することが妥当かどうか、また、このロール紙１をどのプリンタ１０に装着すべきか、判断することができる。例えば、ユーザは、ロール紙１の残量情報を参照し、その残量が多いか少ないかに基づいて、このロール紙１を使用すべきかどうか判断することができる。また、ロール紙１の紙種情報やサイズ情報を参照して、このロール紙１が、使用したいロール紙であるかどうか判別することができる。また、ロール紙１の使用開始日付を参照して、このロール紙１がどれくらい古いものであるかを把握した上で、当該ロール紙１を使用すべきかどうか判断することができる。また、ユーザは、プリンタ１０の機種名、プリンタ１０の供給者情報、又は、プリンタ１０を個々に特定するＩＤ情報を参照することにより、ロール紙１をどのプリンタ１０に装着すべきか把握することができる。
【００８６】
また、ユーザは、ロール紙１をプリンタ１０に装着して使用することが妥当かどうか、また、このロール紙１をどのプリンタ１０に装着すべきか、判断するためでなく、単に、前記情報を見るために、当該情報を印刷させたいと考える場合があり、かかる際にも、当該プリンタ１０は有効である。
【００８７】
一方で、ユーザは、情報の印刷後に、ロール紙１を切断して、ロール紙１の、情報を印刷した部分、を切り離したいと考える場合と、当該情報の印刷後に、ロール紙１の切断を行いたくないと考える場合がある。例えば、ユーザが、ロール紙１をプリンタ１０に装着して使用することが妥当かどうか、また、このロール紙１をどのプリンタ１０に装着すべきか、判断するために、情報をロール紙１に印刷させる場合には、ユーザが、ロール紙１を再度使用する際に、当該情報を確実に参照できる（すなわち、ユーザが、ロール紙１を再度使用する際に、ロール紙１自体に印刷されている情報を参照できる）ように、情報の印刷後にロール紙１の切断が行われないことを望む場合が多い。逆に、ユーザが、単に、情報を見るために、当該情報を印刷させる場合には、情報が印刷された紙を、手にとって見たり、移動させたりできるように、情報の印刷後に、ロール紙１の、情報を印刷した部分、が切り離されることを望む場合が多い。
【００８８】
本実施の形態に係るプリンタ１０においては、前記情報を印刷した後にロール紙１を切断するか否かをユーザが選択することができるから、ユーザのかかる要請に応えることができる。したがって、本実施の形態によれば、ユーザにとって利便性の高いプリンタ１０、及び、印刷制御装置７００が実現されることとなる。
【００８９】
＝＝＝その他の実施の形態＝＝＝
以上、上記実施の形態に基づき本発明に係る印刷装置等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００９０】
なお、上記実施の形態においては、印刷装置として、インクジェットプリンタ１０を例に挙げて説明したが、これに限定されるものではない。例えば、ドットインパクト式プリンタ等の印刷装置にも本発明を適用できる。
【００９１】
また、上記実施の形態においては、コントローラ６０が、プリンタ１０に関する情報及びロール紙１に関する情報の双方を印刷することとしたが、これに限定されるものではなく、例えば、プリンタ１０に関する情報のみを印刷することとしてもよいし、ロール紙１に関する情報のみを印刷することとしてもよい。
【００９２】
また、上記実施の形態においては、プリンタ１０に関する情報として、プリンタ１０の機種名、プリンタ１０の供給者情報、及び、プリンタ１０を個々に特定するＩＤ情報を例に挙げて説明したが、これらに限定されるものではない。例えば、カラープリンタかモノクロプリンタかを示す情報であってもよい。
【００９３】
また、上記実施の形態においては、ロール紙１に関する情報として、ロール紙１の残量情報、ロール紙１の紙種情報、ロール紙１のサイズ情報、及び、ロール紙１を初めて装着した日付（ロール紙１の使用開始日付）を示す情報、を例に挙げて説明したが、これらに限定されるものではない。例えば、ロール紙１の色情報やロール紙１の供給者情報であってもよい。
【００９４】
また、上記実施の形態においては、広義に解釈される、プリンタ１０に関する情報として、ランニングコストを示す情報、使用環境を示す情報、及び、情報を印刷した日付、を例に挙げて説明したが、これらに限定されるものではない。例えば、印刷条件に係るパラメータ（プリンタドライバ設定情報）であってもよい。
【００９５】
また、上記実施の形態においては、情報を印刷した後にロール紙１を切断するか否か、についてのユーザによる選択、を受け付けるための選択受け付け部がプリンタ１０に設けられていることとしたが、これに限定されるものではない。例えば、選択受け付け部が、コンピュータ７０２等が有するプリンタドライバ７９６に設けられていることとしてもよい。  
ただし、プリンタ１０がコンピュータ７０２に電気的に接続されていない場合でも、ユーザが、情報を印刷した後にロール紙１を切断するか否か、を選択することができる点で、上記実施の形態の方がより望ましい。
【００９６】
また、上記実施の形態において、コントローラ６０は、プリンタ１０及びロール紙１のうちの少なくともどちらか一方に関する複数の情報を印刷可能であり、前記情報を印刷した後にロール紙１を切断することをユーザが選択した場合と前記情報を印刷した後にロール紙１を切断しないことをユーザが選択した場合とで、異なる情報を印刷することとしたが、これに限定されるものではない。例えば、前記情報を印刷した後にロール紙１を切断することをユーザが選択した場合と前記情報を印刷した後にロール紙１を切断しないことをユーザが選択した場合とで、同じ情報を印刷することとしてもよい。
【００９７】
ユーザがロール紙１に印刷させたい情報は、一般的に、情報を印刷する目的に応じて変化する。例えば、前述した１１種類の情報のうち、第一ランニングコストを示す情報は、主として、ランニングコストを随時把握したいというユーザの要請、に応えるために印刷可能となっている情報であるため、ユーザが、ロール紙１をプリンタ１０に装着して使用することが妥当かどうか、また、このロール紙１をどのプリンタ１０に装着すべきか、判断するために（当該目的を、以下、第一の目的と呼ぶ）、この情報をロール紙１に印刷させたいと考えることは稀である。同様に、使用環境を示す情報は、主として、ユーザがプリンタ１０の不具合発生時に当該使用環境を示す情報を参照して不具合の発生要因を切り分けることができるように印刷可能となっている情報であるため、ユーザが第一の目的でこの情報をロール紙１に印刷させたいと考えることは稀である。一方、ロール紙１の使用開始日付に係る情報は、主として、ロール紙１がどれくらい古いものであるかを把握した上で当該ロール紙１を使用すべきかどうか判断できるように、印刷可能となっている情報であるため、ユーザが、単に、情報を見るために（当該目的を、以下、第二の目的と呼ぶ）、この情報をロール紙１に印刷させたいと考えることは稀である。
【００９８】
したがって、例えば、前述したように、ユーザが第一の目的で情報をロール紙１に印刷させる場合に好適なロール紙１の非切断がユーザにより選択されている場合には、ロール紙１の使用開始日付に係る情報がロール紙１に印刷される一方で、第一ランニングコストや使用環境を示す情報がロール紙１に印刷されず、逆に、ユーザが第二の目的で情報をロール紙１に印刷させる場合に好適なロール紙１の切断がユーザにより選択されている場合には、第一ランニングコストや使用環境を示す情報がロール紙１に印刷される一方で、ロール紙１の使用開始日付に係る情報がロール紙１に印刷されないこととする。このように、情報を印刷した後にロール紙１を切断することをユーザが選択した場合と情報を印刷した後にロール紙１を切断しないことをユーザが選択した場合とで、異なる情報を印刷することとすれば、ユーザの利便性をより一層向上させることが可能となる。かかる点で、上記実施の形態の方がより望ましい。
【００９９】
また、上記実施の形態において、コントローラ６０は、情報を、該情報とは異なる印刷画像と共に印刷可能であることとしたが、これに限定されるものではなく、例えば、印刷不可能であることとしてもよい。  
ただし、情報を、前記印刷画像についての参考情報として、ロール紙１に印刷することが可能となる点で上記実施の形態の方がより望ましい。
【０１００】
また、上記実施の形態においては、前記情報とは異なる印刷画像を印刷する際に該印刷画像と共に前記情報を印刷するか否か、についてのユーザによる選択、を受け付けるための第二選択受け付け部が、プリンタドライバ７９６に設けられていることとしたが、これに限定されるものではなく、当該第二選択受け付け部が、プリンタ１０に設けられていることとしてもよい。例えば、第二選択受け付け部がプリンタ１０の操作パネル２０である場合には、プリンタ１０がコンピュータ７０２に電気的に接続されていない状態で、ユーザが、当該操作パネル２０にて、前記情報とは異なる印刷画像を印刷する際に該印刷画像と共に前記情報を印刷するように設定しておいて、その後、プリンタ１０がコンピュータ７０２に電気的に接続された時点で、ユーザが前記印刷画像の印刷を指示することも可能となる。
【０１０１】
また、上記実施の形態において、コントローラ６０は、プリンタ１０及びロール紙１のうちの少なくともどちらか一方に関する複数の情報を印刷可能であり、前記印刷画像と共に前記情報を印刷することをユーザが選択した場合と前記情報のみを印刷することをユーザが選択した場合とで、異なる情報を印刷することとしたが、これに限定されるものでなない。例えば、前記印刷画像と共に前記情報を印刷することをユーザが選択した場合と前記情報のみを印刷することをユーザが選択した場合とで、同じ情報を印刷することとしてもよい。
【０１０２】
前述したとおり、ユーザが、情報を、該情報とは異なる印刷画像についての参考情報として、ロール紙１に印刷させたいと考える場合があり、かかる目的で（当該目的を、第三の目的と呼ぶ）、ユーザは、前記印刷画像と共に前記情報を印刷すること、を選択する。
【０１０３】
一方、ユーザがロール紙１に印刷させたい情報は、一般的に、情報を印刷する目的に応じて変化する。例えば、プリンタ１０を個々に特定するＩＤ情報、ロール紙１の残量情報、第一ランニングコストを示す情報、及び、使用環境を示す情報は、前記印刷画像との関連性が希薄であるため、ユーザが、前述した第二の目的でこれらの情報をロール紙１に印刷させたいと考えることはあっても、第三の目的でこれらの情報をロール紙１に印刷させたいと考えることは稀である。逆に、第二ランニングコストを示す情報は、前記印刷画像との関連性が高いため、ユーザが、第三の目的でこれらの情報をロール紙１に印刷させたいと考えることが多い。
【０１０４】
このように、前記印刷画像と共に前記情報を印刷することをユーザが選択した場合と前記情報のみを印刷することをユーザが選択した場合とで、異なる情報を印刷することとすれば、ユーザの利便性をより一層向上させることが可能となる点で、上記実施の形態の方がより望ましい。
【０１０５】
また、上記実施の形態において、コントローラ６０は、前記情報を印刷した後にカッター４１を動作させてロール紙１を切断することにより、ロール紙１の、前記情報を印刷した部分を、全て切り離すか又は一部のみ切り離すか、についてのユーザの選択に基づいて、ロール紙１の切断位置を異ならせることとしたが、これに限定されるものでない。例えば、ユーザの選択によらず、常に、ロール紙１の、前記情報を印刷した部分を、全て切り離すこととしてもよい。  
ただし、印刷した情報をロール紙１上に残したいという、ユーザの要望と、情報が印刷された紙を手にとって見たり移動させたりしたいという、ユーザの要望、の双方を満たすことが可能となる点で、上記実施の形態の方がより望ましい。
【０１０６】
また、上記実施の形態においては、ロール紙１の、前記情報を印刷した部分を、全て切り離すか又は一部のみ切り離すか、についてのユーザによる選択、を受け付けるための第三選択受け付け部が、プリンタ１０に設けられていることとしたが、これに限定されるものではない。例えば、当該第三選択受け付け部が、コンピュータ７０２等が有するプリンタドライバ７９６に設けられていることとしてもよい。  
ただし、プリンタ１０がコンピュータ７０２に電気的に接続されていない場合でも、ユーザが、ロール紙１の、前記情報を印刷した部分を、全て切り離すか又は一部のみ切り離すか、を選択することができる点で、上記実施の形態の方がより望ましい。
【０１０７】
また、上記実施の形態においては、情報に係る画像の作成（ステップＳ１０、ステップＳ１１６）、及び、作成された当該画像の印刷データＰＤ及び制御信号ＣＯＭへの変換（ステップＳ１２、ステップＳ１１８）は、プリンタ１０が有するコントローラ６０内で行われることとしたが、これに限定されるものでない。例えば、当該作成や当該変換が、コンピュータ７０２等が有するプリンタドライバ７９６内で行われることとしてもよい。
【図面の簡単な説明】
【０１０８】
【図１】印刷制御装置７００の外観構成を示した説明図である。
【図２】図１に示した印刷制御装置７００の構成の一部を示すブロック図である。
【図３】プリンタ１０の外観構成を示した説明図である。
【図４】プリンタの構成を示したブロック図である。
【図５】プリンタ１０の構成要素の一部を模式的に表した模式図である。
【図６】プリンタ１０等の動作を説明するためのフローチャートである。
【図７】ユーザが第一選択肢を選択した後に、ロール紙１に情報が印刷された様子を示す模式図である。
【図８】ユーザが第二選択肢を選択した後に、ロール紙１に情報が印刷された様子を示す模式図である。
【図９】ユーザが第三選択肢を選択した後に、ロール紙１に情報が印刷された様子を示す模式図である。
【図１０】ロール紙１の、情報を印刷した部分、が全て切り離された様子を示す模式図である。
【図１１】ロール紙１の、情報を印刷した部分、が一部のみ切り離された様子を示す模式図である。
【図１２】プリンタ１０等の動作を説明するためのフローチャートである。
【図１３】プリンタドライバ７９６のユーザインターフェース画面を示す図である。
【図１４】ロール紙１に情報及び当該情報とは異なる印刷画像が印刷された様子を示す模式図である。
【符号の説明】
【０１０９】
１  ロール紙                        ３  芯材
１０  インクジェットプリンタ        １２  筐体
１４  ロール紙装着ユニット          １４ａ  ホルダー
１６  給紙部                        １８  排紙部
１９  排紙トレー                    ２０  操作パネル
２０ａ  操作ボタン                  ２０ｂ  液晶表示部
２５  搬送ユニット                  ２６  搬送ローラ
２７  排紙ローラ                    ２８  プラテン
３０  キャリッジユニット            ３１  キャリッジ
３５  ヘッドユニット                ３６  印刷ヘッド
４０  カッターユニット              ４１  カッター
４５  検出器群                      ４７  バーコードリーダー
５０  タイマー                      ６０  コントローラ
６２  インターフェース部            ６４  イメージバッファ
６６  ＣＰＵ                        ６８  メモリ
７０  ユニット制御回路
７００  印刷制御装置                ７０２  コンピュータ
７０３  コンピュータ本体            ７０４  表示装置
７０８  入力装置
７０８Ａ  キーボード                ７０８Ｂ  マウス
７１０  読取装置
７１０Ａ  ＦＤ装置                  ７１０Ｂ  ＣＤ−ＲＯＭドライブ装置
７９５  アプリケーションプログラム  ７９６  プリンタドライバ
７９７  画像処理部                  ８０１  表示インターフェース部
８０３  入力インターフェース部      ８０５  ユーザインターフェース処理部
ＡＤ  画像データ
ＣＯＭ  制御信号
ＰＤ  印刷データ
【図１】
2006015643.tif 000003
【図２】
2006015643.tif 000004
【図３】
2006015643.tif 000005
【図４】
2006015643.tif 000006
【図５】
2006015643.tif 000007
【図６】
2006015643.tif 000008
【図７】
2006015643.tif 000009
【図８】
2006015643.tif 000010
【図９】
2006015643.tif 000011
【図１０】
2006015643.tif 000012
【図１１】
2006015643.tif 000013
【図１２】
2006015643.tif 000014
【図１３】
2006015643.tif 000015
【図１４】
2006015643.tif 000016